(57)【要約】　　　（修正有）【課題】切断刃の切れ味が悪くならないようにする。【解決手段】切断刃２は、長さ方向に鋸歯状に並ぶ平面視三角形の単位刃３を有する。単位刃３は、外周全長に亘って押し切りによるバリ１０が上方に立ち上がっているとともに、その先端頂部３ｂも先端に向かって徐々に球面状に立ち上がり、先端頂部３ｂから根元部３ａに至る外周縁も、上方弧状に立ち上がるように形成した。このため、その立ち上がり部分は剛性が高くなって、へたりにくく、外力によって変形しにくいものとなる。その結果、頂部３ｂ及び外周縁の立ち上がり部分は、ラップシートｗの切断を繰り返しても倒れることなく切断刃３に対して上向き突出状態に維持されるので、切断刃２の切れ味が劣化しにくい。【選択図】　図１
0003098495.tif 000002
【実用新案登録請求の範囲】
【請求項１】
カートン内にロール状ラップシートｗを収納し、そのラップシートｗのカートン取出し口に沿って設けられ、押し切りにより製造されるラップシート用切断刃２であって、
その取出し口の長さ方向に鋸歯状に並ぶ平面視三角形の単位刃３は、その外周全長に亘って前記押し切りによるバリ１０が上方に立ち上がっているとともに、その先端頂部３ｂも先端に向かって徐々に球面状に立ち上がっていることを特徴とするラップシート用切断刃。
【請求項２】
前記先端頂部３ｂから根元部３ａに至る外周縁も、上方弧状に立ち上がっていることを特徴とする請求項１に記載のラップシート用切断刃。
【考案の詳細な説明】
【０００１】
【考案の属する技術分野】
この考案は、カートン内からロール状に巻かれたラップシートを引き出して、そのシートを必要な大きさに切断するために使用する切断刃の先端形状に関するものである。
【０００２】
【従来の技術】
一般に使用されているラップシート用の切断刃は、ロール状に巻かれたラップシートを収納するカートンに固定されており、概ね押し切りにより成形された金属製のものが多用される。
【０００３】
このカートン及び切断刃を、本考案の実施形態を示す図２に基づいて説明すると、カートン１は、前記ラップシートｗを巻いたロール５を収める収納部４と、その収納部４に開閉可能に一体に設けられる蓋体６とからなる。収納部４は、ロール５をその軸回りに回転自在に収納するために充分な大きさの直方体状を成し、前記収納部４の取出し口から引き出したラップシートｗを所定の位置で切断できるよう、前記蓋体６の先端縁６ａに帯状の切断刃２を、その刃先が蓋体６の先端縁６ａ外側を向くように突出させて取り付けられている。
【０００４】
切断刃２の刃先は、図２（ｂ）に示すように、鋸歯状に並ぶ平面視三角形の単位刃３を有するものであり、その単位刃３は、切断刃２本体に対してその平面方向に突出して、その突出が切断刃２の長さ方向に連続的に配置されている。
【０００５】
図２（ａ）の矢印Ａに示すように、ラップシートｗを掴んでカートン１から引き出すとともに、矢印Ｂのように、切断刃２のいずれかの位置の単位刃３を支点としてラップシートｗを図中の上方へ持ち上げる。単位刃３は、前記鋭角状の先端頂部３ｂが鋭利に尖っているので、ラップシートｗは、図２（ｂ）及び（ｃ）に示す、前記頂部３ｂに触れた位置に応力が集中し、その位置で切断されて切れ目が入る。さらに、ラップシートｗを上方へ持ち上げながら引き離していくと、ラップシートｗは、その切れ目を始点として切断刃２に沿って全長に亘って切断され、最後にロール５から切り離される。その切断面を介してロール５側に残ったラップシートｗは、蓋体６の内側に収納されて保護される。
【０００６】
このとき、前記切断刃２の刃先は、図６に示すように、三角形状単位刃３の鋭角状の頂部３ｂから根元部３ａにかけて、その外周縁全周に亘って、切断刃２上面から板厚方向上方（切断刃が、図２（ａ）に示すカートン１から引き出されたラップシートに面する側）へ向かって立ち上がるバリ１０を有している。このバリ１０は、切断刃２をプレス成形による打ち抜きなど、金属板からの押し切りにより形成する際に、その成形範囲の外周縁が押し切り方向へ引っ張られて塑性変形し、その切断面に発生するものである。バリ１０は、その表面の目が粗く、またその縁が鋭利に尖って上方へ立ち上がっているので、前記ラップシートｗに切れ目が入りやすくなっている。
【０００７】
このバリ１０の形状を工夫したものとして、例えば、図７に示すものがあり、この切断刃は、単位刃３の前記先端頂部３ｂを切り落として、その平面視形状を、前記ロール５軸方向に平行な直線部を先端に有する台形状頂部３ｃとしたものである。この台形状の頂部３ｃの先端縁は、押し切りによる成形加工の際に縁が塑性変形して、図７に示すように、その頂部３ｃ表裏にそれぞれ切断刃板厚方向のカエリｋとダレｄを、その先端縁に沿って直線状に発生させている（特許文献１参照）。
【０００８】
また、他の例として、刃先の前記鋭角状の頂部の平面視形状を円弧状に滑らかにして、その円弧状頂部に、切断刃板厚方向へ所定高さを有するバリを意図的に肉盛りして設けたものや（特許文献２参照）、あるいは、その単位刃の先端頂部の一定範囲を、折目線を介して上方（前述のラップシートに面する側）へ向かって折ることにより、その頂部を切断刃に対して直線状に傾斜させて立ち上げ、前記バリに近い機能を持たせたものもある（特許文献３参照）。
【０００９】
【特許文献１】
特開２００２−３６１６９号公報
【００１０】
【特許文献２】
特開２００２−３６２５４７号公報
【特許文献３】
特開２００２−１３７１９１号公報（第５頁、第１図（Ｂ）、第１図（Ｃ））
【００１１】
【考案が解決しようとする課題】
しかし、このバリ１０を有する切断刃に、ラップシートｗが繰り返し押さえつけられると、その切断刃から立ち上がったバリ１０の粗い表面の突起が、ラップシートｗとの接触により磨耗、変形する。この磨耗、変形により、バリ１０は、その立ち上がった部分が倒されてその突出高さが低くなったり、あるいは、バリ１０の目の粗い先端表面が滑らかに丸くなってしまうので、切断刃は、徐々に切れ味が悪くなっていく傾向がある。
【００１２】
また、前述の折目線を介して単位刃の先端頂部を傾斜させた切断刃は、その頂部が、直線的な折目線部分によって立ち上がり状態に保持されているため、その頂部に加わる上下方向の外力に対して耐え得る剛性が弱い。このため、前記頂部に上方から下方に向かってラップシートｗを押さえつけることにより、その立ち上がった頂部が、前記折目線部分を支点に下方へ撓んで変形する。この状態で繰り返し使用を続けると、傾斜を設けた前記先端頂部が倒れてしまい、その頂部の立ち上がり状態が維持できないことがある。このように変形すれば、もはや切れ味を維持することが難しい。
【００１３】
そこで、この考案は、切断刃の切れ味が悪くならないようにすることを課題とする。
【００１４】
【課題を解決するための手段】
上記の課題を解決するために、この考案は、カートン内にロール状ラップシートを収納し、そのラップシートのカートン取出し口に沿って設けられ、押し切りにより製造されるラップシート用切断刃であって、その取出し口の長さ方向に鋸歯状に並ぶ平面視三角形の単位刃は、その外周全長に亘って前記押し切りによるバリが上方に立ち上がっているとともに、その先端頂部も先端に向かって徐々に球面状に立ち上がるようにしたのである。
【００１５】
その立ち上がった頂部に、その切断刃の上方から下方に向かってラップシートが押しつけられると、その単位刃の頂部先端縁は、その向きが立ち上がって上向きになっているので、ラップシートに切れ目が入りやすい。また、その立ち上がり部分は、切断刃に対して球面状に立ち上がって保持されているので、その剛性が高くなり、へたりにくい。このため、その立ち上がった頂部は、ラップシートから加わる上方から下方へ向かう外力によって変形しにくく、その結果、倒れることなく切断刃に対して上向き突出状態に維持され得るので、切断刃の切れ味が劣化しにくい。
【００１６】
また、前記先端頂部から根元部に至る外周縁も、上方弧状に立ち上がるようにした構成も採用し得る。このようにすれば、単位刃の頂部のみならず、その頂部から根元部に至る、単位刃全体の外周縁に立ち上がり部分を形成するので、全体としてその立ち上がり部分の剛性がさらに高くなって、へたりにくくなる。このため、前記頂部がさらに倒れにくくなって、切断刃の切れ味が劣化しにくくなるとともに、その頂部以外の外周縁の立ち上がり部分も倒れにくくなるので、ラップシートの切れ味の維持に寄与し得る。
【００１７】
さらに、前記単位刃は、その外周縁全長に亘って、切断刃上面から板厚方向上方へ向かって立ち上がるバリを通常有しているが、このバリが、前記頂部あるいは外周縁とともに起き上がることにより、その突出方向が、上方よりもやや内向き状態となる。このため、バリ自体が外側へ広がって倒れてしまうことを防ぎ、その磨耗、変形を抑える効果が大きい。
【００１８】
【考案の実施の形態】
一実施形態を図１乃至図３に示し、この実施形態のラップシート用切断刃は、図２に示すように、ロール状に巻かれたラップシートｗを収納するカートン１に固定されるものである。
【００１９】
カートン１は、前記ラップシートｗを巻いたロール５を収める収納部４と、その収納部４に開閉可能に一体に設けられる蓋体６とからなり、収納部４の取出し口から引き出したラップシートｗを所定の位置で切断できるよう、前記蓋体６の先端縁６ａに帯状の切断刃２を、その刃先が蓋体６の先端縁６ａ外側を向くように突出させて取り付けている。
【００２０】
切断刃２の刃先は、図２（ｂ）に示すように、鋸歯状に並ぶ平面視三角形の単位刃３を有するものであり、その単位刃３は、その根元部３ａから頂部３ｂに向かって先細りの平面形状を成して、切断刃２本体から突出し、切断刃２の長さ方向に亘って連続的に配置されている。
【００２１】
ここで、請求項でいう平面視三角形とは、切断刃２本体から突出した部分が、根元部３ａから頂部３ｂに向かって先細りの平面形状を成すものをいい、その頂部は、角を成すもののみならず丸みを帯びている平面形状も含む概念である。また、根元部３ａから頂部３ｂに至る外周縁も、この実施形態のように直線であるものに限られず、適度にカーブを描く外周縁を有する平面形状であっても、それが単位刃３全体として先細り形状である限りにおいて平面視三角形である。
【００２２】
前記単位刃３は、図２（ｃ）に示すように、その鋭角状の頂部３ｂから根元部３ａにかけて、その外周縁全周に亘って、切断刃２上面から板厚方向上方へ向かって立ち上がるバリ１０を有している。このバリ１０は、前記板厚方向上方、つまり、図３（ｂ）に示すように、切断刃２が、カートン１から引き出されたラップシートｗに面する側に向かって立ち上がっている。
【００２３】
このバリ１０は、切断刃２をプレス成形による打ち抜きなど、金属板からの押し切りにより形成する際に、その成形範囲の外周縁が押し切り方向へ引っ張られて塑性変形することにより、その切断面付近に不規則に発生するものである。バリ１０は、その表面の目が粗いものであり、またその縁が鋭利に尖って上方へ立ち上がっている。
【００２４】
単位刃３は、その先端頂部３ｂが、図１に示すように、根元部３ａ側から頂部３ｂ側に向かって徐々に球面状に切断刃２より立ち上がるように形成されており、さらに、前記先端頂部３ｂから根元部３ａに至る両側の外周縁も、上方弧状に立ち上がるように形成されている。
【００２５】
図２（ａ）の矢印Ａに示すように、ラップシートｗをカートン１から引き出すとともに、矢印Ｂのように、切断刃２の単位刃３を支点としてラップシートｗを図中の上方へ持ち上げる。ラップシートｗは、まず、切断刃２の長さ方向一端付近（ロール５の軸方向一端付近）の前記単位刃３に触れて強く押しつけられ、その位置で切断されて切れ目が入る。このとき、ラップシートｗは、図３（ｂ）に示すように、単位刃３の頂部３ｂの立ち上がり部分先端付近に当たって切れ目が入る。ラップシートｗに触れる部分がその頂部３ｂ付近に限られ、接触面積が小さいので、そこに作用する応力が集中して、切れ目が入りやすい。
【００２６】
さらに、ラップシートｗを、図２（ａ）の矢印Ｂに示す方向に、上方へ持ち上げながら、掴んだラップシートｗを前記切れ目を介してロール５から引き離していくと、ラップシートｗは、前記一端の切れ目を始点として他端へ向かって切断されていき、最後にロール５から切り離される。
【００２７】
このとき、単位刃３の頂部３ｂから根元部３ａに至る外周縁にも、立ち上がり部分を形成しており、ラップシートｗは、前記頂部３ｂのみならずその外周縁の立ち上がり部分にも触れて切断されていくので、さらに切れ味がよくなる。
【００２８】
この立ち上がり部分は、単位刃３の外周縁が上方へ向かって弧状に徐々に立ち上がるとともに、その先端頂部３ｂは、球面状に徐々に立ち上がっているので、単位刃３は、その単位刃３の根元部３ａを除く３方を取り囲むようにお碗状に形成されている。このため、全体としてその立ち上がり部分の剛性がさらに高くなって、へたりにくいものとなる。
【００２９】
つまり、その立ち上がった頂部３ｂ及び外周縁は、ラップシートｗから加わる上方から下方へ向かう外力によって変形しにくく、その結果、倒れることなく切断刃に対して上向き突出状態に維持され得るので、切断刃の切れ味が劣化しにくい。
【００３０】
また、前記頂部３ｂ及び外周縁には、通常は前記バリ１０が形成されているが、このバリ１０の発生状況、つまり、その形状や数量、配置等は、その切断刃２を製作する際の前記押し切りにより大きく左右され、非常に不安定である。この構成によれば、単位刃３に安定的に一定の立ち上がり部分を形成するので、切断刃２の安定した切れ味を確保し得る。また、この立ち上がり部分に前記バリ１０が多数介在すれば、さらに切れ味がよくなるので好ましい。
【００３１】
この実施形態では、前記単位刃３の立ち上がり部分を、単位刃３の頂部３ｂ、及びその頂部３ｂから根元部３ａに至る外周縁に形成したが、他の実施形態として、図４に示すように、頂部３ｂのみを切断刃２上面から立ち上がらせるようにした構成も採用し得る。
【００３２】
また、これらの単位刃３の頂部３ｂ、又はその頂部３ｂから根元部３ａに至る外周縁の立ち上げ加工は、この実施形態のように切断刃２が有するすべての単位刃３について行ってもよいし、間隔を隔てて立ち上げ加工した単位刃３を点在させてもよい。その他の構成として、例えば、ラップシートｗに最初に切れ目を入れる箇所である、前記切断刃２の一端付近の単位刃３に、その立ち上げ加工を限定するなど、その立ち上げ加工を一定の箇所に限定して行ってもよい。ラップシートｗの切断は、最初の切れ目が入れられる際に大きな力を要し、その後は、その切れ目に応力が集中するので、ロール５から切り離されるに至るまで比較的軽やかに切断可能だからである。
【００３３】
なお、切断刃２は、この実施形態の直線状のものには限定されず、例えば、図５（ａ）及び図５（ｂ）に示すように、その長さ方向の中央部が両端部よりも前方へ飛び出した逆Ｖ字型を成したものとした構成も採用し得る。
【００３４】
この逆Ｖ字型の切断刃２を用いる場合であれば、ラップシートｗは、その逆Ｖ字型の先端である、ロール５の軸方向中央部付近の前記単位刃３に触れて、その位置で切断されて切れ目が入る。さらに、ラップシートｗを、図５（ａ）の矢印Ｂに示す方向に、上方へ持ち上げながら、掴んだラップシートｗを前記切れ目を介してロール５から引き離していくと、ラップシートｗは、その中央部の切れ目を始点として両端部へ向かって切断されていき、最後にロール５から切り離される。
【００３５】
このため、この逆Ｖ字型切断刃２を用いる場合は、前記立ち上げ加工を、その切断刃２の長さ方向中央部付近の単位刃３に限定するようにしてもよい。
【００３６】
【考案の効果】
この考案は、以上のように、切断刃を構成する単位刃の頂部を球面状に、また、その単位刃の外周縁を弧状に立ち上げたので、立ち上げた部分の剛性が高まり、切断刃の切れ味が悪くならない。
【図面の簡単な説明】
【図１】一実施形態の要部拡大図
【図２】同実施形態の説明図で、（ａ）はカートンからラップシートを引き出した状態を示し、（ｂ）は切断刃の部分拡大図、（ｃ）は切断刃の刃先の拡大図を示す
【図３】（ａ）は図１の平面図、（ｂ）は図１の側面図
【図４】他の実施形態の要部拡大図
【図５】他の実施形態の説明図で、（ａ）はカートンからラップシートを引き出した状態を示し、（ｂ）は切断刃の部分拡大図を示す
【図６】従来例の要部拡大図
【図７】従来例の要部拡大図
【符号の説明】
１　カートン
２　切断刃
３　単位刃
３ａ　根元部
３ｂ　頂部
４　収納部
５　ロール
６　蓋体
１０　バリ
ｗ　ラップシート
【図１】
0003098495.tif 000003
【図２】
0003098495.tif 000004
【図３】
0003098495.tif 000005
【図４】
0003098495.tif 000006
【図５】
0003098495.tif 000007
【図６】
0003098495.tif 000008
【図７】
0003098495.tif 000009